(57)【要約】【課題】高画質の表示装置及び電子装置を提供する。【解決手段】実施形態によれば、表示装置は、スイッチ液晶部と、制御部と、表示部と、を含む。スイッチ液晶部は、第１、第２偏光層と、第１、第２基板部と、液晶層と、を含む。第１基板部は、第１基板と、複数の内側電極と、第１基板と内側電極との間に設けられた絶縁層と、絶縁層と第１基板との間に設けられた複数の外側電極と、を含む。外側電極と内側電極とは交互に並び互いに重ならない。第２基板部は、第２基板と対向電極とを含む。液晶層は、第１、第２基板部との間に設けられる。表示部は、視差画像を含む光を出射する。制御部は、第１動作を実施する。内側電極のうちの第１電極、及び、外側電極のうちの第１中間電極を通過する光の透過率を、内側電極のうちの第２電極、及び、外側電極のうちの第２中間電極を通過する光の透過率よりも高くする。【選択図】図１
2016071073.tif 000002
【特許請求の範囲】
【請求項１】
第１偏光層と、
第２偏光層と、
第１基板部であって、
前記第１偏光層と前記第２偏光層との間に設けられ、前記第１偏光層から前記第２偏光層に向かう積層方向と交差する第１面を有する光透過性の第１基板と、
前記第１基板と前記第２偏光層との間に設けられ前記第１面内の第１方向に並ぶ光透過性の複数の内側電極と、
前記第１基板と前記複数の内側電極との間に設けられた光透過性の絶縁層と、
前記絶縁層の少なくとも一部と前記第１基板との間に設けられた光透過性の複数の外側電極であって、前記第１面に投影したときに前記複数の外側電極と前記複数の内側電極とは交互に並び前記複数の外側電極と前記複数の内側電極とは互いに重ならない複数の外側電極と、
を含む第１基板部と、
第２基板部であって、
前記第１基板部と前記第２偏光層との間に設けられた光透過性の第２基板と、
前記第２基板と前記第１基板部との間に設けられた光透過性の対向電極と、
を含む第２基板部と、
前記第１基板部と前記第２基板部との間に設けられた液晶層と、
を含むスイッチ液晶部と、
前記複数の内側電極、前記複数の外側電極、及び、前記対向電極のそれぞれの電位を制御する制御部と、
前記スイッチ液晶部と重ねられ、視差画像を含む光を出射する表示部と、
を備え、
前記複数の内側電極は、第１電極と、第２電極と、を含み、
前記複数の外側電極は、前記複数の外側電極のうちで前記第１電極に最も近い第１中間電極と、前記複数の外側電極のうちで前記第２電極に最も近く前記第１中間電極とは異なる第２中間電極と、を含み、
前記第１面に投影したときに前記第１電極と前記第２電極との間に前記第１中間電極が位置し、前記第１面に投影したときに前記第１中間電極と前記第２中間電極との間に前記第２電極が位置し、
前記制御部は、第１期間に第１動作を実施し、
前記第１動作は、前記第１電極を通過する光に対する前記スイッチ液晶部の第１透過率、及び、前記第１中間電極を通過する光に対する前記スイッチ液晶部の第１中間透過率のそれぞれを、前記第２電極を通過する光に対する前記スイッチ液晶部の第２透過率、及び、前記第２中間電極を通過する光に対する前記スイッチ液晶部の第２中間透過率のそれぞれよりも高くすることを含む表示装置。
【請求項２】
前記制御部は、前記第１期間とは異なる第２期間において第２動作をさらに実施し、
前記第２動作は、前記第２透過率及び前記第２中間透過率のそれぞれを、前記第１透過率及び前記第１中間透過率のそれぞれよりも高くすることを含む請求項１記載の表示装置。
【請求項３】
前記制御部は、前記スイッチ液晶部を通過した光が入射する観視者と、前記スイッチ液晶部と、の間の空間的な配置に関する情報を取得し、
前記制御部は、前記配置が第１状態のときに前記第１動作を実施し、前記配置が前記第１状態とは異なる第２状態のときに前記第２動作を実施する請求項２記載の表示装置。
【請求項４】
前記第２電極は、前記複数の内側電極のうちで前記第１電極に最も近い請求項１〜３のいずれか１つに記載の表示装置。
【請求項５】
前記複数の内側電極は、前記第１電極と前記第２電極との間に設けられた第３電極をさらに含み、
前記複数の外側電極は、前記複数の外側電極のうちで前記第３電極に最も近く前記第１中間電極及び前記第２中間電極とは異なる第３中間電極と、を含み、
前記第１面に投影したときに前記第１電極と前記第３電極との間に前記第１中間電極が位置し、前記第１面に投影したときに前記第１中間電極と前記第３中間電極との間に前記第３電極が位置し、
前記第１動作は、前記第３電極を通過する光に対する前記スイッチ液晶部の第３透過率、及び、前記第３中間電極を通過する光に対する前記スイッチ液晶部の第３中間透過率のそれぞれを、前記第２透過率及び前記第２中間透過率のそれぞれよりも高くすることを含む請求項１〜３のいずれか１つに記載の表示装置。
【請求項６】
前記複数の内側電極は、前記第３電極と前記第２電極との間に設けられた第４電極をさらに含み、
前記複数の外側電極は、前記複数の外側電極のうちで前記第４電極に最も近く前記第３中間電極及び前記第２中間電極とは異なる第４中間電極と、を含み、
前記第１面に投影したときに前記第３電極と前記第４電極との間に前記第３中間電極が位置し、前記第１面に投影したときに前記第３中間電極と前記第４中間電極との間に前記第４電極が位置し、
前記第１動作は、前記第４電極を通過する光に対する前記スイッチ液晶部の第４透過率、及び、前記第４中間電極を通過する光に対する前記スイッチ液晶部の第４中間透過率のそれぞれを、前記第２透過率及び前記第２中間透過率のそれぞれよりも高くすることを含む請求項５記載の表示装置。
【請求項７】
前記複数の内側電極のそれぞれの前記第１方向の幅は、前記複数の外側電極のそれぞれの前記第１方向の幅よりも広い請求項１〜６のいずれか１つに記載の表示装置。
【請求項８】
前記第１動作は、前記第１電極と前記対向電極との間の電位差の第１絶対値、及び、前記第１中間電極と前記対向電極との間の電位差の第１中間絶対値のそれぞれを、前記第２電極と前記対向電極との間の電位差の第２絶対値、及び、前記第２中間電極と前記対向電極との間の電位差の第２中間絶対値のそれぞれよりも大きくすることを含み、
前記第２動作は、前記第２絶対値及び前記第２中間絶対値のそれぞれを、前記第１絶対値及び前記第１中間絶対値のそれぞれよりも大きくすることを含み、
前記第１動作において、前記第１中間絶対値は、前記第１絶対値よりも大きい請求項１〜７のいずれか１つに記載の表示装置。
【請求項９】
前記第１動作は、前記第１電極と前記対向電極との間の電位差の第１絶対値、及び、前記第１中間電極と前記対向電極との間の電位差の第１中間絶対値のそれぞれを、前記第２電極と前記対向電極との間の電位差の第２絶対値、及び、前記第２中間電極と前記対向電極との間の電位差の第２中間絶対値のそれぞれよりも小さくすることを含み、
前記第２動作は、前記第２絶対値及び前記第２中間絶対値のそれぞれを、前記第１絶対値及び前記第１中間絶対値のそれぞれよりも小さくすることを含み、
前記第１動作において、前記第２中間絶対値は、前記第２絶対値よりも大きい請求項１〜７のいずれか１つに記載の表示装置。
【請求項１０】
前記複数の外側電極のいずれかは、前記複数の内側電極のいずれかと電気的に接続されている請求項１〜７のいずれか１つに記載の表示装置。
【請求項１１】
前記第１基板部は、中央部と、前記第１面内で前記中央部の外側に位置する周辺部と、を有し、
前記第１基板部は、前記周辺部に設けられた複数の接続部をさらに含み、
前記複数の接続部のいずれかは、前記複数の外側電極のいずれかと、前記複数の内側電極のいずれかと、を電気的に接続する請求項１〜７のいずれか１つに記載の表示装置。
【請求項１２】
前記第１基板部は、前記第１基板と前記第２偏光層との間に設けられた複数の配線をさらに含み、
前記複数の配線のそれぞれのシート抵抗は、前記複数の内側電極のそれぞれのシート抵抗よりも低く、前記複数の外側電極のそれぞれのシート抵抗よりも低く、
前記複数の配線のいずれかは、前記複数の内側電極のいずれかと前記制御部とを電気的に接続する請求項１〜１１のいずれか１つに記載の表示装置。
【請求項１３】
前記第１面に投影したときに、前記第１電極と前記第１中間電極との間の前記第１方向の距離は、前記第１電極の前記第１方向の幅の１／１０以下である請求項１〜１２のいずれか１つに記載の表示装置。
【請求項１４】
請求項１〜１３のいずれか１つに記載した表示装置を備えた電子装置。
【発明の詳細な説明】
【技術分野】
【０００１】
本発明の実施形態は、表示装置及び電子装置に関する。
【背景技術】
【０００２】
例えば、視差画像を表示する表示パネルと、スイッチ液晶と、を組み合わせて３次元画像を表示する表示装置がある。表示装置において、画質の向上が望まれる。
【先行技術文献】
【特許文献】
【０００３】
【特許文献１】特開２０１３−１８２１８７号公報
【発明の概要】
【発明が解決しようとする課題】
【０００４】
本発明の実施形態は、高画質の表示装置及び電子装置を提供する。
【課題を解決するための手段】
【０００５】
本発明の実施形態によれば、表示装置は、スイッチ液晶部と、制御部と、表示部と、を含む。前記スイッチ液晶部は、第１偏光層と、第２偏光層と、第１基板部と、第２基板部と、液晶層と、を含む。前記第１基板部は、前記第１偏光層と前記第２偏光層との間に設けられ、前記第１偏光層から前記第２偏光層に向かう積層方向と交差する第１面を有する光透過性の第１基板と、前記第１基板と前記第２偏光層との間に設けられ前記第１面内の第１方向に並ぶ光透過性の複数の内側電極と、前記第１基板と前記複数の内側電極との間に設けられた光透過性の絶縁層と、前記絶縁層の少なくとも一部と前記第１基板との間に設けられた光透過性の複数の外側電極であって、前記第１面に投影したときに前記複数の外側電極と前記複数の内側電極とは交互に並び前記複数の外側電極と前記複数の内側電極とは互いに重ならない複数の外側電極と、を含む。前記第２基板部は、前記第１基板部と前記第２偏光層との間に設けられた光透過性の第２基板と、前記第２基板と前記第１基板部との間に設けられた光透過性の対向電極と、を含む。前記液晶層は、前記第１基板部と前記第２基板部との間に設けられた液晶層と、を含む。前記制御部は、前記複数の内側電極、前記複数の外側電極、及び、前記対向電極のそれぞれの電位を制御する。前記表示部は、前記スイッチ液晶部と重ねられ、視差画像を含む光を出射する。前記複数の内側電極は、第１電極と、第２電極と、を含む。前記複数の外側電極は、前記複数の外側電極のうちで前記第１電極に最も近い第１中間電極と、前記複数の外側電極のうちで前記第２電極に最も近く前記第１中間電極とは異なる第２中間電極と、を含む。前記第１面に投影したときに前記第１電極と前記第２電極との間に前記第１中間電極が位置し、前記第１面に投影したときに前記第１中間電極と前記第２中間電極との間に前記第２電極が位置する。前記制御部は、第１期間に第１動作を実施する。前記第１動作は、前記第１電極を通過する光に対する前記スイッチ液晶部の第１透過率、及び、前記第１中間電極を通過する光に対する前記スイッチ液晶部の第１中間透過率のそれぞれを、前記第２電極を通過する光に対する前記スイッチ液晶部の第２透過率、及び、前記第２中間電極を通過する光に対する前記スイッチ液晶部の第２中間透過率のそれぞれよりも高くすることを含む。
に配置される。
【図面の簡単な説明】
【０００６】
【図１】第１の実施形態に係る表示装置を例示する模式的断面図である。
【図２】第１の実施形態に係る表示装置の一部を例示する模式的断面図である。
【図３】第１の実施形態に係る表示装置の動作を例示する模式的断面図である。
【図４】第１の実施形態に係る表示装置の動作を例示する模式的断面図である。
【図５】第１の実施形態に係る表示装置の一部を例示する模式的断面図である。
【図６】図６（ａ）及び図６（ｂ）は、第１の実施形態に係る表示装置の一部を例示する模式的断面図である。
【図７】図７（ａ）及び図７（ｂ）は、第１の実施形態に係る表示装置の一部を例示する模式的断面図である。
【図８】第１の実施形態に係る表示装置の一部を例示する模式的平面図である。
【図９】第１の実施形態に係る表示装置の一部を例示する模式的平面図である。
【図１０】第１の実施形態に係る別の表示装置を例示する模式的断面図である。
【図１１】第１の実施形態に係る別の表示装置を例示する模式的断面図である。
【図１２】発明に先立って検討した表示装置を例示する模式的断面図である。
【図１３】第１の実施形態に係る別の表示装置を例示する模式的断面図である。
【図１４】第２の実施形態に係る電子装置を例示する模式的斜視図である。
【発明を実施するための形態】
【０００７】
以下に、本発明の各実施の形態について図面を参照しつつ説明する。  
なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。  
また、本明細書と各図において、既出の図に関して前述したものと同様の要素には、同一の符号を付して、詳細な説明を適宜省略することがある。
【０００８】
（第１の実施形態）  
図１２は、発明に先立って検討した表示装置を例示する模式的断面図である。  
図１２に示すように、表示装置３１３は、スイッチ液晶部１１０と、制御部７０と、表示部２１０と、を含む。スイッチ液晶部１１０と制御部７０とは、液晶光学装置４１３に含まれる。
【０００９】
スイッチ液晶部１１０は、例えば、視差バリアとされ、第１基板部１０ｕと、第２基板部２０ｕと、第１偏光層５１（例えば偏光板）と、第２偏光層５２（例えば偏光板）と、を含み、第１基板部１０ｕと第２基板部２０ｕとの間に液晶層３０を含む。
【００１０】
第１基板部１０ｕは、第１基板１０ｓと、複数の内側電極１１と、第１配向層１８と、を含み、第２基板部２０ｕは、第２基板２０ｓと、対向電極２１と、第２配向層２８と、を含む。スイッチ液晶部１１０は、複数の内側電極１１と対向電極２１との間で電圧を印加することで視差バリアとして機能し、カメラ等により検知した視認者８０の位置に応じて右目８１及び左目８２に対して開口するバリアの位置を可変させることにより、視認者８０は立体映像として認識する。
【００１１】
尚、スイッチ液晶部１１０は、視差バリアに限定せず、例えば、液晶レンズとしてもよい。この場合は、第１偏光層５１および第２偏光層５２は不要となる。
【００１２】
しかし、液晶光学装置４１３は、複数の内側電極１１の間にスペースを設けているため、そこから光が漏れ、クロストークが大きくなる。
【００１３】
図１は、第１の実施形態に係る表示装置を例示する模式的断面図である。  
図１に示すように、本実施形態に係る表示装置３１０は、スイッチ液晶部１１０と、制御部７０と、表示部２１０と、を含む。スイッチ液晶部１１０と制御部７０とは、液晶光学装置４１０に含まれる。
【００１４】
スイッチ液晶部１１０は、第１偏光層５１（例えば偏光板）と、第２偏光層５２（例えば偏光板）と、第１基板部１０ｕと、第２基板部２０ｕと、液晶層３０と、を含む。
【００１５】
第１偏光層５１から第２偏光層５２に向かう方向を積層方向とする。積層方向をＺ軸方向とする。Ｚ軸方向に対して垂直な１つの方向をＸ軸方向とする。Ｚ軸方向とＸ軸方向とに対して垂直な方向をＹ軸方向とする。
【００１６】
第１基板部１０ｕは、第１基板１０ｓと、複数の内側電極１１と、絶縁層１５と、複数の外側電極１２と、第１配向層１８と、を含み、第１基板１０ｓ上には複数の外側電極１２がＸ軸方向に所定の間隔で設けられ、第１基板１０ｓおよび複数の外側電極１２を覆うように絶縁層１５が設けられ、絶縁層１５の上には複数の内側電極１１がＸ軸方向に所定の間隔で設けられ、絶縁層１５と複数の内側電極１１を覆うように第１配向層１８が設けられる。
複数の外側電極１２と複数の内側電極１１の各々は、観視者８０から見て互い違いに配置されている。観視者８０から見たとき、各々の外側電極１２と内側電極１１のエッジ部分は重なっていてもよいし、観視者８０から見て隙間があってもよい。
第２基板部２０ｕは、第２基板２０ｓの第１基板部１０ｕの側には対向電極２１が設けられ、対向電極２１の第１基板部１０ｕの側には第２配向層２８が設けられている。
第１基板部１０ｕの第１配向層１８と、第２基板部２０ｕの第２配向層２８と、の間には液晶層３０を含み、第１基板部１０ｕの表示部２１０の側には第１偏光層５１が設けられ、第２基板部２０ｕの観視者８０の側には第２偏光層５２が設けられる。
上記のように複数の外側電極１２と複数の内側電極１１を互い違いに配置しているため、電極間の隙間を小さくでき、光漏れによるクロストークを減少させることが可能となる。
【００１７】
第１基板１０ｓは、第１面１０ａを有する。第１面１０ａは、積層方向（Ｚ軸方向）と交差する。例えば、第１面１０ａは、Ｘ−Ｙ平面に対して平行である。第１基板１０ｓは、光透過性である。
【００１８】
複数の内側電極１１は、第１方向に並ぶ。第１方向は、第１面１０ａ内の方向である。第１方向は、例えばＸ軸方向である。複数の内側電極１１は、光透過性である。
【００１９】
絶縁層１５は、第１基板１０ｓと、複数の内側電極１１と、の間に設けられる。絶縁層１５は、光透過性である。
【００２０】
複数の外側電極１２は、絶縁層１５の少なくとも一部と、第１基板１０ｓとの間に設けられる。複数の外側電極１２は、光透過性である。第１面１０ａに投影したときに、複数の外側電極１２と、複数の内側電極１１と、は、交互に並ぶ。第１面１０ａに投影したときに、複数の外側電極１２と、複数の内側電極１１と、は、互いに重なってもよいし、重ならなくてもよい。
【００２１】
第２基板部２０ｕは、第２基板２０ｓと、対向電極２１と、を含む。第２基板２０ｓは、第１基板部１０ｕと第２偏光層５２との間に設けられる。第２基板２０ｓは、光透過性である。
【００２２】
対向電極２１は、第２基板２０ｓと第１基板部１０ｕとの間に設けられる。対向電極２１は、光透過性である。
【００２３】
液晶層３０は、第１基板部１０ｕと第２基板部２０ｕとの間に設けられる。
【００２４】
第１基板１０ｓ及び第２基板２０ｓの少なくともいずれかには、例えば、ガラス基板、または、樹脂基板が用いられる。
【００２５】
内側電極１１、外側電極１２及び対向電極２１の少なくともいずれかには、例えば、Ｉｎ、Ｓｎ、Ｚｎ及びＴｉよりなる群から選択された少なくともいずれかの元素を含む酸化物が用いられる。これらの電極には、例えば、酸化インジウム（ＩＴＯ）が用いられる。
【００２６】
第１基板１０ｓ、第２基板２０ｓ、内側電極１１、外側電極１２及び対向電極２１は、例えば、透明である。
【００２７】
絶縁層１５には、例えば、酸化シリコン、窒化シリコン、酸窒化シリコン及び酸化アルミニウムの少なくともいずれかが用いられる。絶縁層１５の厚さは、仕様等に応じて適宜最適な厚さが設定される。厚さが過度に薄いと、内側電極１１と外側電極１２とが近づいたときに、リークが生じる場合がある。厚さが過度に厚いと、絶縁層１５の透過率が低下する。厚さが上記の範囲において、良好な絶縁性と、良好な透過率と、が得られる。
【００２８】
液晶層３０には、例えば、ネマティック液晶が用いられる。液晶層３０に用いられる液晶の誘電異方性は、正でも負でも良い。液晶層３０における液晶配向は、任意である。
【００２９】
この例では、第１基板部１０ｕは、第１配向層１８を含み、第２基板部２０ｕは、第２配向層２８を含む。第１配向層１８と絶縁層１５との間に、内側電極１１が配置される。第２配向層２８と第２基板２０ｓとの間に対向電極２１が配置される。これらの配向膜には、例えば、ポリイミド系の樹脂が用いられる。これらの配向膜により、液晶層３０の液晶配向が形成される。
【００３０】
制御部７０は、複数の内側電極１１、複数の外側電極１２、及び、対向電極２１のそれぞれの電位を制御する。制御部７０は、内側電極１１と対向電極２１との間の電圧、及び、外側電極１２と対向電極２１との間の電圧を制御する。
【００３１】
制御部７０により、内側電極１１と対向電極２１との間、及び、外側電極１２と対向電極２１との間に、印加電圧が印加される。印加電圧に応じた電圧が、液晶層３０に加わる。液晶層３０において、電圧に応じて、液晶配向の変化が生じる。液晶配向の変化に伴って、液晶層３０における光学特性（例えば、複屈折性または旋光性など）が変化する。光学特性の変化に伴い、第１偏光層５１及び第２偏光層５２を通過する光の透過率が変化する。スイッチ液晶部１１０は、例えば、光シャッタとして機能する。
【００３２】
表示部２１０は、スイッチ液晶部１１０と重ねられる。表示部２１０には、例えば液晶表示装置または有機ＥＬ表示装置などが用いられる。表示部２１０の構成は任意である。
【００３３】
表示部２１０は、視差画像を含む光Ｌ１を出射する。例えば、表示部２１０には、複数の画素２５０が設けられる。複数の画素２５０から、表示のための光Ｌ１が出射する。光Ｌ１は、例えば、右目用の画像と、左目用の画像と、を含む視差画像を含む。視差の数は、任意である。
【００３４】
観視者８０に、スイッチ液晶部１１０を通過した光が入射する。スイッチ液晶部１１０は、観視者８０から見たとき、右目には右目用の画像からの光を透過させ、左目用の画像の光を減衰させるように光透過部および遮光部の位置を切り替える。スイッチ液晶部１１０は、観視者８０から見たとき、左目には左目用の画像からの光を透過させ、右目用の画像の光を減衰させるように光透過部および遮光部が設けられている。対向電極２８と、内側電極１１あるいは外側電極１２との間の印加電圧に応じて遮光部または光透過部が設定される。例えば、対向電極２８と、内側電極１１あるいは外側電極１２との間に所定の第１電圧を印加することにより遮光状態とし、電圧を印加しないときあるいは第１電圧より低い電圧を印加したときに光透過状態となるノーマリオープン（ノーマリホワイト）とされる。または、対向電極２８と、内側電極１１あるいは外側電極１２との間に所定の第１電圧を印加することにより光透過状態とし、電圧を印加しないときあるいは第１電圧より低い電圧を印加するときに遮光状態とするノーマリクローズ（ノーマリブラック）の構成としてもよい。遮光部及び光透過部によって観視者８０の左右の目（右目８１及び左目８２）に、異なる画像（視差画像）が入射する。観視者８０は、例えば、３次元画像を知覚する。
【００３５】
後述するように、制御部７０は、観視者８０の位置に関する情報を取得しても良い。例えば、センサ７５が設けられる。センサ７５として、例えば撮像装置が用いられる。センサ７５として、電磁波または音波を出射し、反射した信号を検出する装置を用いても良い。センサ７５は、観視者８０の位置を推定し、位置に関する情報を制御部７０に供給する。
【００３６】
制御部７０は、観視者８０とスイッチ液晶部１１０との間の空間的な配置に関する情報を取得する。空間的な配置は、例えば、スイッチ液晶部１１０を基準にした、観視者８０の位置を含む。例えば、空間的な配置に関する情報は、例えば、スイッチ液晶部１１０と観視者８０との間の角度に関する情報を含む。後述するように、制御部７０は、取得した情報に応じてスイッチ液晶部１１０の動作を制御する。
【００３７】
図２は、第１の実施形態に係る表示装置の一部を例示する模式的断面図である。  
図２は、第１基板部１０ｕの一部を例示している。
【００３８】
複数の内側電極１１として、例えば、第１〜第７電極ｅ１〜ｅ７が設けられる。複数の外側電極１２として、例えば、第１〜第６中間電極ｆ１〜ｆ６が設けられる。この例では、Ｘ軸方向に沿って、第１〜第７電極ｅ１〜ｅ７が、順に並ぶ。この例では、Ｘ軸方向に沿って、第１〜第６中間電極ｆ１〜ｆ６が、順に並ぶ。
【００３９】
このように、複数の内側電極１１は、第１電極ｅ１と、第２電極ｅ２と、を含む。複数の外側電極１２は、第１中間電極ｆ１と、第２中間電極ｆ２と、を含む。
【００４０】
第１中間電極ｆ１は、複数の外側電極１２のうちで第１電極ｅ１に最も近い。第２中間電極ｆ２は、複数の外側電極１２のうちで第２電極ｅ２に最も近く、第１中間電極ｆ１とは異なる。
【００４１】
第１面１０ａに投影したときに、第１電極ｅ１と第２電極ｅ２との間に第１中間電極ｆ１が位置する。第１面１０ａに投影したときに、第１中間電極ｆ１と第２中間電極ｆ２との間に、第２電極ｅ２が位置する。
【００４２】
このようなスイッチ液晶部１１０において、制御部７０は、第１期間に第１動作を実施する。以下、第１動作の例について説明する。
【００４３】
図３は、第１の実施形態に係る表示装置の動作を例示する模式的断面図である。  
図３は、第１動作ＳＴ１を例示している。
【００４４】
スイッチ液晶部１１０において、第１電極ｅ１〜第６電極ｅ６のそれぞれを通過する光に対するスイッチ液晶部１１０の透過率を、それぞれ、第１透過率Ｔａ１〜第６透過率Ｔａ６とする。第１中間電極ｆ１〜第６中間電極ｆ６のそれぞれを通過する光に対するスイッチ液晶部１１０の透過率を、それぞれ、第１中間透過率Ｔｂ１〜第６中間透過率Ｔｂ６とする。
【００４５】
第１動作ＳＴ１においては、第１透過率Ｔａ１、第３透過率Ｔａ３及び第５透過率Ｔａ５のそれぞれは、第２透過率Ｔａ２、第４透過率Ｔａ４及び第６透過率Ｔａ６のそれぞれよりも高い。第１動作ＳＴ１においては、第１中間透過率Ｔｂ１、第３中間透過率Ｔｂ３及び第５中間透過率Ｔｂ５のそれぞれは、第２中間透過率Ｔｂ２、第４中間透過率Ｔｂ４及び第６中間透過率Ｔｂ６のそれぞれよりも高い。
【００４６】
第１動作ＳＴ１においては、第１電極ｅ１、第３電極ｅ３及び第５電極ｅ５のそれぞれに対応する位置は、光透過状態である。第２電極ｅ２、第４電極ｅ４及び第６電極ｅ６のそれぞれに対応する位置は、非透過状態である。
【００４７】
第１動作ＳＴ１においては、第１中間電極ｆ１、第３中間電極ｆ３及び第５中間電極ｆ５のそれぞれに対応する位置は、光透過状態である。第２中間電極ｆ２、第４中間電極ｆ４及び第６中間電極ｆ６のそれぞれに対応する位置は、非透過状態である。
【００４８】
非透過状態における透過率は、光透過状態における透過率よりも低い。非透過状態は、例えば、遮蔽状態である。
すなわち、第１電極ｅ１および第１中間電極ｆ１からなる第１ペア、第３電極ｅ３および第３中間電極ｆ３からなる第３ペア、第５電極ｅ５および第５中間電極ｆ５からなる第５ペアにて光透過部を形成する。また、第２電極ｅ２および第２中間電極ｆ２からなる第２ペア、第４電極ｅ４および第４中間電極ｆ４からなる第４ペア、第６電極ｅ６および第６中間電極ｆ６からなる第６ペアにて遮光部を形成する。同一のペアの電極に印加する電圧は、例えば、図１に示すようなスイッチマトリックスＳＭにより同電位が印加される。
【００４９】
例えば、表示部２１０から出射した第１視差の光（例えば右目用画像を含む光）が、第１の角度でスイッチ液晶部１１０に入射する。この光は、例えば、第１ペア、第３ペア及び第５ペアのいずれか対応する部分を通過して観視者８０の右目８１に入射する。第２視差の光（例えば左目用画像を含む光）が、スイッチ液晶部１１０に入射する。この光は、例えば、第２ペア、第４ペア及び第６ペアのいずれかに対応する部分で減衰し（例えば遮断され）、観視者８０の右目８１には、実質的に入射しない。
【００５０】
一方、表示部２１０から出射した第２視差の光Ｌ１（例えば左目用画像を含む光）が、第２の角度でスイッチ液晶部１１０に入射する。この光は、例えば、第１ペア、第３ペア及び第５ペアのいずれかに対応する部分を通過して観視者８０の左目８２に入射する。第１視差の光（例えば右目用画像を含む光）が、スイッチ液晶部１１０に入射する。この光は、例えば、第２ペア、第４ペア及び第６ペアのいずれかに対応する部分で減衰し（例えば遮断され）、観視者８０の左目８２には、実質的に入射しない。
【００５１】
第１期間において、観視者８０位置は、第１位置である。第１動作ＳＴ１においては、例えば、第１位置の観視者８０の右目８１と左目８２とに、互いに異なる光を入射させることができる。複数の視差を含む光Ｌ１を用いることで、例えば３次元表示が実施される。
【００５２】
制御部７０は、第１動作ＳＴ１に加えて、第２期間に、第２動作をさらに実施しても良い。第２期間は、観視者８０が移動した後の第１期間とは異なる期間である。
【００５３】
図４は、第１の実施形態に係る表示装置の動作を例示する模式的断面図である。  
図４は、第２動作ＳＴ２を例示している。  
第２動作ＳＴ２においては、第１透過率Ｔａ１、第３透過率Ｔａ３及び第５透過率Ｔａ５のそれぞれは、第２透過率Ｔａ２、第４透過率Ｔａ４及び第６透過率Ｔａ６のそれぞれよりも低い。第２動作ＳＴ１においては、第１中間透過率Ｔｂ１、第３中間透過率Ｔｂ３及び第５中間透過率Ｔｂ５のそれぞれは、第２中間透過率Ｔｂ２、第４中間透過率Ｔｂ４及び第６中間透過率Ｔｂ６のそれぞれよりも低い。
【００５４】
第２動作ＳＴ２においては、第１電極ｅ１、第３電極ｅ３及び第５電極ｅ５のそれぞれに対応する位置は、非透過状態である。第２電極ｅ２、第４電極ｅ４及び第６電極ｅ６のそれぞれに対応する位置は、光透過状態である。
【００５５】
第２動作ＳＴ２においては、第１中間電極ｆ１、第３中間電極ｆ３及び第５中間電極ｆ５のそれぞれに対応する位置は、非透過状態である。第２中間電極ｆ２、第４中間電極ｆ４及び第６中間電極ｆ６のそれぞれに対応する位置は、光透過状態である。
すなわち、第１電極ｅ１および第１中間電極ｆ１からなる第１ペア、第３電極ｅ３および第３中間電極ｆ３からなる第３ペア、第５電極ｅ５および第５中間電極ｆ５からなる第５ペアにて遮光部を形成する。また、第２電極ｅ２および第２中間電極ｆ２からなる第２ペア、第４電極ｅ４および第４中間電極ｆ４からなる第４ペア、第６電極ｅ６および第６中間電極ｆ６からなる第６ペアにて光透過部を形成する。同一のペアの電極に印加する電圧は、例えば、図１に示すようなスイッチマトリックスＳＭにより同電位が印加される。
【００５６】
例えば、表示部２１０から出射した第１視差の光（例えば右目用画像を含む光）が、第３の角度でスイッチ液晶部１１０に入射する。この光は、例えば、第２ペア、第４ペア及び第６ペアのいずれか対応する部分を通過して観視者８０の右目８１に入射する。第２視差の光（例えば左目用画像を含む光）が、スイッチ液晶部１１０に入射する。この光は、例えば、第１ペア、第３ペア及び第５ペアのいずれかに対応する部分で減衰し（例えば遮断され）、観視者８０の右目８１には、実質的に入射しない。
【００５７】
一方、表示部２１０から出射した第２視差の光Ｌ１（例えば左目用画像を含む光）が、第４の角度でスイッチ液晶部１１０に入射する。この光は、例えば、第２ペア、第４ペア及び第６ペアのいずれかに対応する部分を通過して観視者８０の左目８２に入射する。第１視差の光（例えば右目用画像を含む光）が、スイッチ液晶部１１０に入射する。この光は、例えば、第１ペア、第３ペア及び第５ペアのいずれかに対応する部分で減衰し（例えば遮断され）、観視者８０の左目８２には、実質的に入射しない。
【００５８】
第２期間において、観視者８０の位置は、第１位置とは異なる第２位置である。第２動作ＳＴ２においては、例えば、第２位置の観視者８０の右目８１と左目８２とに、互いに異なる光を入射させることができる。複数の視差を含む光Ｌ１を用いることで、例えば３次元表示が実施される。
【００５９】
このように、制御部７０は、第１期間とは異なる第２期間において、第２動作ＳＴ２をさらに実施する。第２動作ＳＴ２は、第２透過率Ｔａ２及び第２中間透過率Ｔｂ２のそれぞれを、第１透過率Ｔａ１及び第１中間透過率Ｔｂ１のそれぞれよりも高くすることを含む。
【００６０】
例えば、観視者８０の頭部が移動する。または、例えば、スイッチ液晶部１１０（または表示装置３１０）の角度が変更される。スイッチ液晶部１１０と観視者８０との間の空間的配置が変化する。
【００６１】
制御部７０は、観視者８０とスイッチ液晶部１１０との間の空間的な配置に関する情報を取得する。例えば、制御部７０は、取得した情報に基づいて、配置が第１状態（第１位置）のときに第１動作ＳＴ１を実施し、配置が第１状態とは異なる第２状態（第２位置）のときに第２動作ＳＴ２を実施する。
【００６２】
第１動作ＳＴ１と第２動作ＳＴ２とにより、観視者８０とスイッチ液晶部１１０との間の空間的配置の変化に追従したトラッキング動作が可能になる。
尚、図３、図４においては２つの連続した電極を１つのペアとしているが、１つのペアの電極数は２つに限らずＸ軸方向連続した少なくとも１つの電極であればよい。
【００６３】
実施形態においては、第１面１０ａに投影したときに、複数の外側電極１２と複数の内側電極１１とは互いに重なってもよいし、重ならなくてもよい。第１面１０ａに投影したときに、複数の外側電極１２と複数の内側電極１１とが互いに重なる場合は、内側電極１１と外側電極１２との間の容量カップリングの影響が大きくなり、制御部７０からこれらの電極に供給される信号に歪みが生じ、画質が低下する場合がある。
【００６４】
このような場合は、実施形態においては、第１面１０ａに投影したときに、複数の外側電極１２と複数の内側電極１１とは互いに重ならない構成としてもよい。これにより、容量カップリングが抑制でき、所望の動作が実施でき、高画質の表示装置が提供できる。
【００６５】
一方、例えば、図１２に示すように、内側電極１１を設けて外側電極１２を設けない場合、複数の内側電極１１どうしの間において、透過率が変化しない領域が生じる。このため、例えば、コントラストが低下する。または、明るさが低下する。
【００６６】
さらに、内側電極１１を設けて外側電極１２を設けず、複数の内側電極１１どうしの間に、遮光層を設けることも可能である。この場合には、明るさが低下する。
【００６７】
これに対して、実施形態に係るスイッチ液晶部１１０においては、複数の内側電極１１と、複数の外側電極１２と、を交互に設ける。これにより、光漏れを減少させ、クロストークを減少させる。
【００６８】
実施形態において、第１面１０ａに投影したときの、複数の内側電極１１のうちの１つと、それに隣接する外側電極１２と、の間の距離は短いことが好ましい。例えば、第１面１０ａに投影したときに、第１電極ｅ１と第１中間電極ｆ１との間の第１方向（例えばＸ軸方向）の距離（間隙）は、第１電極ｅ１の第１方向の幅の１／１０以下であることが好ましい。これにより、内側電極１１と外側電極１２との間の間隙が実質的に無くなり、透過率が変化しない領域を実質的に生じなくなる。なお、電極の端から延びる電界は、電極の端で広がる傾向がある。このため、第１電極ｅ１と第１中間電極ｆ１との間の距離（間隙）が、第１電極ｅ１の幅の１／１０以下になると、間隙の影響が実質的に無視できる。
【００６９】
例えば、第１面１０ａに投影したときに、第１電極ｅ１と第１中間電極ｆ１との間の第１方向の距離は、第１電極ｅ１の第１方向の幅の１／２０以下であることがさらに好ましい。
【００７０】
第１動作ＳＴ１は、第１電極ｅ１と対向電極２１との間の電位差の絶対値（第１絶対値）、及び、第１中間電極ｆ１と対向電極２１との間の電位差の絶対値（第１中間絶対値）のそれぞれを、第２電極ｅ２と対向電極２１との間の電位差の絶対値（第２絶対値）、及び、第２中間電極ｆ２と対向電極２１との間の電位差の絶対値（第２中間絶対値）のそれぞれよりも大きくすることを含む。例えば、対向電極２１を基準にしたときに、この第１動作ＳＴ１においては、光透過状態の、第１電極ｅ１及び第１中間電極ｆ１に印加される電圧は、非透過状態の、第２電極ｅ２及び第２中間電極ｆ２に印加される電圧よりも高い。ノーマリクローズの動作が実施される。
【００７１】
ノーマリクローズの動作が実施される場合、第２動作ＳＴ２は、第２絶対値及び第２中間絶対値のそれぞれを、第１絶対値及び第１中間絶対値のそれぞれよりも大きくすることを含む。
【００７２】
一方、第１動作ＳＴ１は、第１電極ｅ１と対向電極２１との間の電位差の絶対値（第１絶対値）、及び、第１中間電極ｆ１と対向電極２１との間の電位差の絶対値（第１中間絶対値）のそれぞれを、第２電極ｅ２と対向電極２１との間の電位差の絶対値（第２絶対値）、及び、第２中間電極ｆ２と対向電極２１との間の電位差の絶対値（第２中間絶対値）のそれぞれよりも小さくすることを含む。例えば、対向電極２１を基準にしたときに、この第１動作ＳＴ１においては、光透過状態の、第１電極ｅ１及び第１中間電極ｆ１に印加される電圧は、非透過状態の、第２電極ｅ２及び第２中間電極ｆ２に印加される電圧よりも低い。ノーマリオープンの動作が実施される。
【００７３】
ノーマリオープンの動作が実施される場合、第２動作ＳＴ２は、第２絶対値及び第２中間絶対値のそれぞれを、第１絶対値及び第１中間絶対値のそれぞれよりも小さくすることを含む。
【００７４】
ノーマリクローズとノーマリオープンとは、例えば、第１偏光層５１の偏光軸と第２偏光層５２の偏光軸との関係を変更することで、変更できる。液晶層３０に用いられる液晶の誘電異方性により、電圧と透過率の関係を変更できる。
【００７５】
図５は、第１の実施形態に係る表示装置の一部を例示する模式的断面図である。  
図５は、第１基板部１０ｕの別の例を示している。
【００７６】
図５に示すように、スイッチ液晶部１１１においては、複数の内側電極１１のそれぞれの第１方向（Ｘ軸方向）の幅は、複数の外側電極１２のそれぞれの第１方向の幅よりも広い。
【００７７】
内側電極１１と液晶層３０との間には、絶縁層１５が設けられていない。これに対して、外側電極１２と液晶層３０との間には、絶縁層１５が設けられている。外側電極１２と対向電極２１との間に印加された電圧において、絶縁層１５により、電圧降下が生じる。もし、内側電極１１と対向電極２１との間の電位差（電圧）と、外側電極１２と対向電極２１との間の電位差（電圧）が同じ場合、これらの領域において、液晶層３０に実効的に印加される電圧に差異が生じる。内側電極１１に対応する領域と、外側電極１２に対応する領域と、において、透過率に差異が生じる場合がある。
【００７８】
このような場合、スイッチ液晶部１１１では、内側電極１１の幅を、外側電極１２の幅よりも広くする。これにより、内側電極１１の実効面積が大きくなるため、内側電極１１の影響が、外側電極１２の影響よりも大きくなる。これにより、電圧降下に起因して内側電極１１に対応する領域と外側電極１２に対応する領域とにおいて透過率に差異が生じた場合においても、全体として、スイッチ液晶動作がより均一に実施され、輝度ムラをより抑制することが可能となる。従って、クロストークがより小さくでき、画質がより高い表示を実施することができる。
【００７９】
例えば、複数の内側電極１１のそれぞれの第１方向の幅は、複数の外側電極１２のそれぞれの第１方向の幅の１．１倍以上１０倍以下である。あるいは、複数の内側電極１１のそれぞれの第１方向の幅は、複数の外側電極１２のそれぞれの第１方向の幅の１．２倍以上５倍以下でも良い。このような範囲で、内側電極１１の幅を外側電極１２の幅よりも広くすることで、より高い画質が得られる。内側電極１１の幅に外側電極１２の幅に対する比が過度に高くなると、外側電極１２の幅が過度に細くなり、抵抗が高くなる。
【００８０】
上記のように、外側電極１２と対向電極２１との間に印加された電圧において、絶縁層１５により、電圧降下が生じる。これを補償するように、内側電極１１に供給する電圧と、外側電極１２に供給する電圧と、を異ならせても良い。
【００８１】
例えば、ノーマリクローズの動作において、第１動作ＳＴ１においては、第１中間電極ｆ１に対応する第１中間絶対値を、第１電極ｅ１に対応する第１絶対値よりも大きくする。第２動作ＳＴ２においては、第２中間電極ｆ２に対応する第２中間絶対値を、第２電極ｅ２に対応する第２絶対値よりも大きくする。電圧降下の影響が補償される。
【００８２】
例えば、ノーマリオープンの動作において、第１動作ＳＴ１においては、第２中間電極ｆ２に対応する第２中間絶対値を、第２電極ｅ２に対応する第２絶対値よりも大きくする。第２動作ＳＴ２においては、第１中間電極ｆ１に対応する第１中間絶対値を、第１電極ｅ１に対応する第１絶対値よりも大きくする。電圧降下の影響が補償される。
【００８３】
図２〜図４に示した例では、内側電極１１において、光透過状態と非透過状態とが交互に形成される。実施形態において、例えば、２つの内側電極１１のセットの単位で、光透過状態と非透過状態とが交互に形成されても良い。
【００８４】
図２〜図４に示した例では、第２電極ｅ２は、複数の内側電極１１のうちで、第１電極ｅ１に最も近い。実施形態において、第１電極ｅ１と第２電極ｅ２との間に、別の内側電極１１が配置されても良い。
【００８５】
図６（ａ）及び図６（ｂ）は、第１の実施形態に係る表示装置の一部を例示する模式的断面図である。  
図６（ａ）は、第１動作ＳＴ１に対応し、図６（ｂ）は、第２動作ＳＴ２に対応する。  図６（ａ）に示すように、スイッチ液晶部１１２において、複数の内側電極１１は、第１電極ｅ１及び第２電極ｅ２に加えて、第３電極ｅ３を含む。第３電極ｅ３は、第１電極ｅ１と第２電極ｅ２との間に設けられる。この例では、第１電極ｅ１と第２電極ｅ２との間に設けられる内側電極１１を、第３電極ｅ３と呼ぶ。
【００８６】
複数の外側電極１２は、第１中間電極ｆ１及び第２中間電極ｆ２に加えて、第３中間電極ｆ３を含む。第３中間電極ｆ３は、複数の外側電極１２のうちで第３電極ｅ３に最も近い。第３中間電極ｆ３は、第１中間電極ｆ１とは異なり、第２中間電極ｆ２とは異なる。
【００８７】
第１面１０ａに投影したときに、第１電極ｅ１と第３電極ｅ３との間に、第１中間電極ｆ１が位置する。第１面１０ａに投影したときに、第１中間電極ｆ１と第３中間電極ｆ３との間に、第３電極ｅ３が位置する。
【００８８】
第１動作ＳＴ１においては、第３電極ｅ３を通過する光に対するスイッチ液晶部１１２の第３透過率Ｔａ３、及び、第３中間電極ｆ３を通過する光に対するスイッチ液晶部１１２の第３中間透過率Ｔｂ３のそれぞれを、第２透過率Ｔａ２及び第２中間透過率Ｔｂ２のそれぞれよりも高くする。
【００８９】
例えば、第１動作ＳＴ１においては、第１電極ｅ１及び第１中間電極ｆ１による第１ペアにおいて、光透過状態が形成される。第３電極ｅ３及び第３中間電極ｆ３による第３ペアにおいて、光透過状態が形成される。これにより、第１方向（Ｘ軸方向）に連続した第１電極ｅ１、第１中間電極ｆ１、第３電極ｅ３及び第３中間電極ｆ３に対応した領域が光透過状態となる。
【００９０】
第１動作ＳＴ１においては、第２電極ｅ２及び第２中間電極ｆ２による第２ペアにおいて、非透過状態が形成される。第４電極ｅ４及び第４中間電極ｆ４による第４ペアにおいて、非透過状態が形成される。これにより、第１方向（Ｘ軸方向）に連続した第２電極ｅ２、第２中間電極ｆ２、第４電極ｅ４及び第４中間電極ｆ４に対応した領域が非透過状態（遮光状態）となる。
【００９１】
第１動作ＳＴ１においては、第５電極ｅ５及び第５中間電極ｆ５による第５ペアにおいて、光透過状態が形成される。第６電極ｅ６及び第６中間電極ｆ６による第６ペアにおいて、光透過状態が形成される。これにより、第１方向（Ｘ軸方向）に連続した第５電極ｅ５、第５中間電極ｆ５、第６電極ｅ６及び第６中間電極ｆ６に対応した領域が光透過状態となる。
【００９２】
スイッチ液晶部１１２においては、２つのペアの単位で、光透過状態と、非透過状態と、が交互に形成される。
【００９３】
一方、図６（ｂ）に示すように、第２動作ＳＴ２は、第２透過率Ｔａ２及び第２中間透過率Ｔｂ２のそれぞれを、第３透過率Ｔａ３及び第３中間透過率Ｔｂ３のそれぞれよりも高くすることを含む。
【００９４】
第２動作ＳＴ２においては、例えば、第１ペア、第３ペア、第５ペア及び第６ペアにおいて、非透過状態が形成される。第２ペア及び第４ペアにおいて、光透過状態が形成される。
【００９５】
さらに、実施形態において、例えば、３つの内側電極のセットの単位で、光透過状態と非透過状態とが交互に形成されても良い。
【００９６】
図７（ａ）及び図７（ｂ）は、第１の実施形態に係る表示装置の一部を例示する模式的断面図である。  
図７（ａ）は、第１動作ＳＴ１に対応し、図７（ｂ）は、第２動作ＳＴ２に対応する。  図７（ａ）に示すように、スイッチ液晶部１１３において、複数の内側電極１１は、第１電極ｅ１及び第２電極ｅ２に加えて、第３電極ｅ３及び第４電極ｅ４を含む。第３電極ｅ３は、第１電極ｅ１と第２電極ｅ２との間に設けられる。第４電極ｅ４は、第３電極ｅ３と第２電極ｅ２との間に設けられる。
【００９７】
複数の外側電極１２は、第１中間電極ｆ１、第２中間電極ｆ２及び第３中間電極ｆ３に加えて、第４中間電極ｆ４を含む。第４中間電極ｆ４は、複数の外側電極１２のうちで第４電極ｅ４に最も近い。第４中間電極ｆ４は、第３中間電極ｆ３とは異なり、第２中間電極ｆ２とは異なる。
【００９８】
第１面１０ａに投影したときに、第３電極ｅ３と第４電極ｅ４との間に、第３中間電極ｆ３が位置する。第１面１０ａに投影したときに、第３中間電極ｆ３と第４中間電極ｆ４との間に、第４電極ｅ４が位置する。
【００９９】
第１動作ＳＴ１は、第４電極ｅ４を通過する光に対するスイッチ液晶部１１３の第４透過率Ｔａ４、及び、第４中間電極ｆ４を通過する光に対するスイッチ液晶部１１３の第４中間透過率Ｔｂ４のそれぞれを、第２透過率Ｔａ２及び第２中間透過率Ｔｂ２のそれぞれよりも高くすることを含む。
【０１００】
第１動作ＳＴ１においては、例えば、第１ペア、第３ペア及び第４ペアにおいて、光透過状態が形成される。第２ペア、第５ペア及び第６ペアにおいて、非透過状態が形成される。
【０１０１】
図７（ｂ）に示すように、第２動作ＳＴ２は、第２透過率Ｔａ２及び第２中間透過率Ｔｂ２のそれぞれを、第４透過率Ｔａ４及び第４中間透過率Ｔｂ４のそれぞれよりも高くすることを含む。
【０１０２】
第２動作ＳＴ２においては、例えば、第１ペア、第３ペア及び第４ペアにおいて、非透過状態が形成される。第２ペア、第５ペア及び第６ペアにおいて、光透過状態が形成される。
【０１０３】
実施形態において、光透過状態と非透過状態とが交互に形成されるときの、光透過状態に設定される、セット内の内側電極１１の数は任意である。非透過状態に設定されるセット内の内側電極１１の数は任意である。
図６（ａ）、図６（ｂ）、図７（ａ）、図７（ｂ）において、第１〜第６中間電極ｆ１〜ｆ６の第１方向（Ｘ軸方向）の電極の幅は、第１〜第７電極ｅ１〜ｅ７の第１方向（Ｘ軸方向）の電極幅よりも小さくしてもよい。この場合は、図５と同様に輝度ムラをより抑制し、クロストークをより小さくでき、高い画質を実現することが可能となる。
図６（ａ）、図６（ｂ）、図７（ａ）、図７（ｂ）のように連続した光透過部および遮光部の幅を変更することにより観視者８０と表示装置３１０との距離が変化しても、観視者８０は、立体表示として認識することが可能となる。観視者８０と表示装置３１０との距離は、撮像装置（センサ７５）の画像を解析し求めてもよいし、電磁波、超音波等を用いて測定してもよい。
【０１０４】
図８は、第１の実施形態に係る表示装置の一部を例示する模式的平面図である。  
図８は、第１基板部１０ｕを例示している。実施形態に係るスイッチ液晶部１２０において、第１基板部１０ｕは、表示部（中央部）Ｒ０１と、周辺部Ｒ０２と、を有している。周辺部Ｒ０２は、第１面１０ａ内で、表示部Ｒ０１の外側に位置する。表示部Ｒ０１において、内側電極１１及び外側電極１２が設けられる。
【０１０５】
第１基板部１０ｕには、複数の配線１６がさらに設けられても良い。この例では、周辺部Ｒ０２において、配線１６が設けられている。複数の配線１６のいずれかは、複数の内側電極１１のいずれかと制御部７０とを電気的に接続する。複数の配線１６のいずれかは、複数の外側電極１２のいずれかと制御部７０とを電気的に接続する。配線１６には、内側電極１１及び外側電極１２に供給される信号（電圧）が供給される。
【０１０６】
配線１６は、例えば、第１基板１０ｓと第２偏光層５２との間に設けられる。複数の配線１６のそれぞれのシート抵抗は、複数の内側電極１１のそれぞれのシート抵抗よりも低く、複数の外側電極１２のそれぞれのシート抵抗よりも低い。配線１６には、例えば金属が用いられる。配線１６を用いることで、抵抗による電圧降下が抑制でき、内側電極１１及び外側電極１２における電圧の不均一が抑制できる。
【０１０７】
図９は、第１の実施形態に係る表示装置の一部を例示する模式的平面図である。  
図９は、第１基板部１０ｕの端部領域を例示している。  
複数の配線１６のいずれかは、複数の内側電極１１のいずれか（第１電極ｅ１など）と電気的に接続される。複数の配線１６のいずれかは、複数の外側電極１２のいずれか（第１中間電極ｆ１など）と電気的に接続されている。配線１６と内側電極１１とは、例えば、接続部１７ｂにより接続されている。
【０１０８】
この例では、第１基板部１０ｕは、複数の接続部１７ａを含む。複数の接続部１７ａは、周辺部Ｒ０２に設けられる。複数の接続部１７ａのいずれかは、複数の外側電極１２のいずれか（例えば第１中間電極ｆ１）と、複数の内側電極１１のいずれか（例えば第１電極ｅ１）と、を電気的に接続してもよいし、切り替えスイッチを設けて適宜接続形態を切り替えることが可能な構成にしてもよい。この例では、複数の外側電極１２のいずれかは、複数の内側電極１１のいずれかと電気的に接続されている。
【０１０９】
既に説明したように、第１電極ｅ１の電位と第１中間電極ｆ１の電位とを異ならせる場合は、第１電極ｅ１と第１中間電極ｆ１とは電気的に接続せず、例えば、図１に示すように、複数の電源ラインをスイッチマトリックスＳＭによって切り替え、異なる電圧を印加できる構成にする。
【０１１０】
図９に例示するように、実施形態において、記複数の内側電極１１のそれぞれは、第２方向（Ｙ軸方向）に沿って延在し、複数の外側電極１２のそれぞれは、第２方向に沿って延在する。第２方向は、第１方向（Ｘ軸方向）と交差する方向である。
【０１１１】
図１０は、第１の実施形態に係る別の表示装置を例示する模式的断面図である。  
図１０に示すように、表示装置３１１においては、表示部２１０は、第３基板２１３と第４基板２１４と、第３偏光層２５３と、バックライト２３０と、を含む。例えば、第３基板２１３と第４基板２１４との間に複数の画素電極と液晶層とが配置され、複数の画素２５０が形成される。バックライト２３０とスイッチ液晶部１１０との間に、第３基板２１３及び第４基板２１４が配置される。バックライト２３０と第３基板２１３との間に、第３偏光層２５３が配置される。
【０１１２】
第１偏光層５１と第３偏光層２５３とを用いて、表示部２１０における表示が行われる。この例では、光学層１５０がさらに設けられている。光学層１５０は、第１偏光層５１と第１基板１０ｓとの間に配置される。光学層１５０は、例えば、光学異方層である。例えば視角方向の制御が行われる。
【０１１３】
図１１は、第１の実施形態に係る別の表示装置を例示する模式的断面図である。  
図１１に示すように、表示装置３１２においては、バックライト２３０と表示部２１０との間に、スイッチ液晶部１１０が配置されている。
【０１１４】
実施形態に係る表示装置３１０〜３１２、及び、それらの変形において、実施形態に係るスイッチ液晶部１１０〜１１３、及び、１２０、並びに、それらの変形が用いられる。
【０１１５】
実施形態は、液晶光学装置４１０（図参照）を含む。液晶光学装置４１０は、実施形態に係るスイッチ液晶部のいずれかと、制御部７０と、を含む。
【０１１６】
スイッチ液晶部については、既に説明した構成及びその変形を用いることができる。
【０１１７】
制御部７０は、第１期間に第１動作ＳＴ１する。第１動作ＳＴ１は、第１電極ｅ１を通過する光に対するスイッチ液晶部の第１透過率Ｔａ１、及び、第１中間電極ｆ１を通過する光に対するスイッチ液晶部の第１中間透過率Ｔｂ１のそれぞれを、第２電極ｅ２を通過する光に対するスイッチ液晶部の第２透過率Ｔａ２、及び、第２中間電極ｆ２を通過する光に対するスイッチ液晶部の第２中間透過率Ｔｂ２のそれぞれよりも高くすることを含む。
【０１１８】
制御部７０は、第２動作ＳＴ２をさらに実施しても良い。第２動作ＳＴ２は、第２透過率Ｔａ２及び第２中間透過率Ｔｂ２のそれぞれを、第１透過率Ｔａ１及び第１中間透過率Ｔｂ１のそれぞれよりも高くすることを含む。  
液晶光学装置４１０により、高画質の表示装置を提供できる。
【０１１９】
図１３は、第１の実施形態に係る別の表示装置を例示する模式的断面図である。  
図１３の例は、実施形態に係る表示装置を液晶レンズに用いたものである。表示装置３１４は、スイッチ液晶部１１０と、制御部７０と、表示部２１０と、を含む。スイッチ液晶部１１０と制御部７０とは、液晶光学装置４１４に含まれる。図１と異なる点は、第１偏光層５１および第２偏光層５２が設けられておらず、複数の内側電極１１を形成する第１電極ｅ１〜第６電極ｅ６、および複数の外側電極１２を形成する第１中間電極ｆ１〜第６中間電極ｆ６の各々に所定の異なる電圧を印加することにより液晶層３０に液晶レンズを形成することが可能な構成になっている。
この場合も、複数の内側電極１１と複数の外側電極１２は互い違いに配置されているため、光漏れを抑制し、クロストークを抑制することが可能となる。
更に、複数の内側電極１１の第１方向（Ｘ軸方向）の幅を複数の外側電極１２の第１方向（Ｘ軸方向）の幅よりも大きくすることで、内側電極１１の実効面積を大きくし、輝度ムラを抑制することが可能となる。
【０１２０】
（第２の実施形態）  
図１４は、第２の実施形態に係る電子装置を例示する模式的斜視図である。  
図１４に示すように、本実施形態に係る電子装置５１０は、表示装置３１０を含む。表示装置には、上記の実施形態に係る任意の表示装置及びその変形が用いられる。電子装置５１０には、筐体５８０が設けられる。筐体５８０に制御部７０が格納される。筐体５８０の開口部からスイッチ液晶部１１０から光が出射する。
【０１２１】
実施形態によれば、高画質の表示装置及び電子装置が提供できる。
【０１２２】
なお、本願明細書において、「垂直」及び「平行」は、厳密な垂直及び厳密な平行だけではなく、例えば製造工程におけるばらつきなどを含むものであり、実質的に垂直及び実質的に平行であれば良い。
【０１２３】
以上、具体例を参照しつつ、本発明の実施の形態について説明した。しかし、本発明は、これらの具体例に限定されるものではない。例えば、表示装置に含まれるスイッチ液晶部、偏光層、基板部、基板、電極、対向電極、絶縁層、液晶層、制御部及び表示部などの各要素の具体的な構成に関しては、当業者が公知の範囲から適宜選択することにより本発明を同様に実施し、同様の効果を得ることができる限り、本発明の範囲に包含される。  
また、各具体例のいずれか２つ以上の要素を技術的に可能な範囲で組み合わせたものも、本発明の要旨を包含する限り本発明の範囲に含まれる。
【０１２４】
本発明の実施の形態として上述した表示装置及び電子装置を基にして、当業者が適宜設計変更して実施し得る全ての表示装置及び電子装置も、本発明の要旨を包含する限り、本発明の範囲に属する。
【０１２５】
本発明の思想の範疇において、当業者であれば、各種の変更例及び修正例に想到し得るものであり、それら変更例及び修正例についても本発明の範囲に属するものと了解される。  
例えば、前述の各実施形態に対して、当業者が適宜、構成要素の追加、削除若しくは設計変更を行ったもの、又は、工程の追加、省略若しくは条件変更を行ったものも、本発明の要旨を備えている限り、本発明の範囲に含まれる。
【０１２６】
また、本実施形態において述べた態様によりもたらされる他の作用効果について本明細書記載から明らかなもの、又は当業者において適宜想到し得るものについては、当然に本発明によりもたらされるものと解される。
【符号の説明】
【０１２７】
１０ａ…第１面、  １０ｓ…第１基板、  １０ｕ…第１基板部、  １１…内側電極、  １２…外側電極、  １５…絶縁層、  １６…配線、  １７ａ、１７ｂ…接続部、  １８…第１配向層、  ２０ｓ…第２基板、  ２０ｕ…第２基板部、  ２１…対向電極、  ２８…第２配向層、  ３０…液晶層、  ５１…第１偏光層、  ５２…第２偏光層、  ７０…制御部、  ７５…センサ、  ８０…観視者、  ８１…右目、  ８２…左目、  １１０〜１１３、１２０…スイッチ液晶部、  １５０…光学層、  ２１０…表示部、  ２１３…第３基板、  ２１４…第４基板、  ２３０…バックライト、  ２５０…画素、  ２５３…第３偏光層、  ３１０〜３１４…表示装置、  ４１０、４１３、４１４…液晶光学装置、  ５１０…電子装置、  ５８０…筐体、  Ｌ１…光、  Ｒ０１…表示部（中央部）、  Ｒ０２…周辺部、  ＳＴ１…第１期間、  ＳＴ２…第２期間、  Ｔａ１〜Ｔａ６…第１〜第６透過率、  Ｔｂ１〜Ｔｂ６…第１〜第６中間透過率、  ｅ１〜ｅ７…第１〜第７電極、  ｆ１〜ｆ６…第１〜第６中間電極
【図１】
2016071073.tif 000003
【図２】
2016071073.tif 000004
【図３】
2016071073.tif 000005
【図４】
2016071073.tif 000006
【図５】
2016071073.tif 000007
【図６】
2016071073.tif 000008
【図７】
2016071073.tif 000009
【図８】
2016071073.tif 000010
【図９】
2016071073.tif 000011
【図１０】
2016071073.tif 000012
【図１１】
2016071073.tif 000013
【図１２】
2016071073.tif 000014
【図１３】
2016071073.tif 000015
【図１４】
2016071073.tif 000016